Podtech/llm-jp-corpus-v4-ja_patent huggingface dataset:
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
ネットワークを介して外部装置と通信可能な通信装置であって、
前記外部装置に対して認証を要求する第１の認証手段と、
前記第１の認証手段により前記外部装置に認証された後、記憶部に記録された画像ファイルのうち前記外部装置に送信する画像ファイルをユーザに選択させる選択手段と、
前記選択手段により画像ファイルが選択された後、前記外部装置に対して再び認証を要求する第２の認証手段と、
前記第２の認証手段により前記外部装置に認証された後、前記選択手段により選択された画像ファイルを前記外部装置に送信する送信手段と、を有することを特徴とする通信装置。
【請求項２】
前記第１の認証手段による前記外部装置に対する認証の要求に応じて、前記外部装置から有効期間が付された暗号情報を取得する第１の取得手段を有し、
前記第１の認証手段は、前記第１の取得手段により取得された暗号情報を用いて、前記外部装置との間で予め定められた認証情報を暗号化して前記外部装置に送信することで前記外部装置に認証されることを特徴とする請求項１に記載の通信装置。
【請求項３】
前記第２の認証手段による前記外部装置に対する認証の要求に応じて、前記外部装置から有効期間が付された暗号情報を取得する第２の取得手段と、
前記第２の認証手段により前記外部装置に認証された後、前記第２の取得手段により取得された暗号情報を用いて、前記選択手段により選択された画像ファイルを暗号化する暗号化手段と、を有し、
前記送信手段は、前記暗号化手段により暗号化された画像ファイルを前記外部装置に送信することを特徴とする請求項２に記載の通信装置。
【請求項４】
前記送信手段により画像ファイルを送信する前に、前記第２の認証手段は前記第２の取得手段により取得された暗号情報を用いて、前記外部装置との間で予め定められた認証情報を暗号化して前記外部装置に送信することで前記外部装置に認証されることを特徴とする請求項３に記載の通信装置。
【請求項５】
前記第２の認証手段は、前記外部装置との間で予め定められた認証情報と共に、前記選択手段により選択された画像ファイルの属性情報を送信することを特徴とする請求項４に記載の通信装置。
【請求項６】
前記第２の認証手段により前記外部装置に送信された画像ファイルの属性情報に応じて、前記画像ファイルのファイルサイズが前記外部装置の規定するファイルサイズよりも大きい旨、または前記画像ファイルのファイル形式が前記外部装置の規定するファイル形式と異なる旨を前記外部装置から受信する受信手段を有することを特徴とする請求項５に記載の通信装置。
【請求項７】
前記第１の認証手段および前記第２の認証手段による前記外部装置に対する認証の要求に応じて、前記外部装置から認証情報の取得要求を受信する取得要求受信手段を有し、
前記第１の取得手段および前記第２の取得手段は、それぞれ前記取得要求受信手段により受信された取得要求から暗号情報を取得することを特徴とする請求項３ないし６の何れか１項に記載の通信装置。
【請求項８】
前記選択手段によりユーザが画像ファイルを選択するまでに要した選択時間と、前記選択手段により選択された画像ファイルが当該通信装置から前記外部装置に送信されるまでに要する送信時間とを算出する時間算出手段と、
前記時間算出手段により算出された選択時間と送信時間とを用いて、前記第１の取得手段により取得された暗号情報に付された有効期間までに、前記選択手段により選択された画像ファイルを前記外部装置に送信できるか否かを判定する判定手段と、を有し、
前記判定手段により前記有効期間までに画像ファイルを送信できると判定された場合には、前記送信手段は、前記第１の取得手段により取得された暗号情報を用いて暗号化された画像ファイルを前記外部装置に送信することを特徴とする請求項３に記載の通信装置。
【請求項９】
前記判定手段により前記有効期間までに前記画像ファイルを送信できないと判定された場合には、前記送信手段は、前記第２の取得手段により取得された暗号情報を用いて暗号化された画像ファイルを前記外部装置に送信することを特徴とする請求項８に記載の通信装置。
【請求項１０】
前記第１の認証手段は、前記外部装置との間で予め定められた認証情報を送信する認証情報送信手段、を有し、
前記時間算出手段は、前記認証情報送信手段により認証情報を送信したときの送信スループットに基づいて、前記選択手段により選択された画像ファイルが当該通信装置から前記外部装置に送信されるまでに要する送信時間を算出することを特徴とする請求項８または９に記載の通信装置。
【請求項１１】
被写体を撮像し画像データを得る撮像手段と、
前記撮像手段により得られた画像データに基づく画像ファイルを前記記憶部に記憶する記憶制御手段と、をさらに有することを特徴とする請求項１ないし１０の何れか１項に記載の通信装置。
【請求項１２】
ネットワークを介して外部装置と通信可能な通信装置の制御方法であって、
前記外部装置に対して認証を要求する第１の認証ステップと、
前記第１の認証ステップにより前記外部装置に認証された後、記憶部に記録された画像ファイルのうち前記外部装置に送信する画像ファイルをユーザに選択させる選択ステップと、
前記選択ステップにより画像ファイルが選択された後、前記外部装置に対して再び認証を要求する第２の認証ステップと、
前記第２の認証ステップにより前記外部装置に認証された後、前記選択ステップにより選択された画像ファイルを前記外部装置に送信する送信ステップと、を有することを特徴とする制御方法。
【請求項１３】
コンピュータを、請求項１ないし１０の何れか１項に記載の通信装置の各手段として機能させるためのプログラム。
【手続補正２】
【補正対象書類名】明細書
【補正対象項目名】発明の名称
【補正方法】変更
【補正の内容】
【発明の名称】通信装置、その制御方法およびプログラム
【手続補正３】
【補正対象書類名】明細書
【補正対象項目名】０００１
【補正方法】変更
【補正の内容】
【０００１】
本発明は、通信装置、その制御方法およびプログラムに関するものである。特に、ネットワークを介して外部装置にデータを送信する場合に用いられて好適である。
【手続補正４】
【補正対象書類名】明細書
【補正対象項目名】０００７
【補正方法】変更
【補正の内容】
【０００７】
本発明は、ネットワークを介して外部装置と通信可能な通信装置であって、前記外部装置に対して認証を要求する第１の認証手段と、前記第１の認証手段により前記外部装置に認証された後、記憶部に記録された画像ファイルのうち前記外部装置に送信する画像ファイルをユーザに選択させる選択手段と、前記選択手段により画像ファイルが選択された後、前記外部装置に対して再び認証を要求する第２の認証手段と、前記第２の認証手段により前記外部装置に認証された後、前記選択手段により選択された画像ファイルを前記外部装置に送信する送信手段と、を有することを特徴とする。
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
強化繊維シートを所定形状にて配置し、上型枠或いはフィルムで密閉し、真空にして前記強化繊維シートに樹脂を注入して硬化させ、繊維強化プラスチック構造物を成型するＶａＲＴＭ工法による繊維強化プラスチック構造物成型方法において、
前記強化繊維シートは、
（ａ）連続した複数本の強化繊維にマトリクス樹脂が含浸され硬化された略円形断面形状或いは扁平断面形状とされる連続した繊維強化プラスチック線材を複数本、前記各線材間には０〜１０ｍｍの空隙（ｇ）を設けて長手方向にスダレ状に引き揃えて形成されたストランドシートと、
（ｂ）連続した強化繊維を複数本、一方向に引き揃えてシート状に形成された樹脂未含浸の一方向強化繊維シートと、
を一体化し、前記ストランドシートの前記繊維強化プラスチック線材の前記空隙（ｇ）部に前記一方向強化繊維シートの少なくとも一部の強化繊維が入り込んでいることを特徴とする繊維強化プラスチック構造物成型方法。
【請求項２】
前記繊維強化プラスチック線材は、直径（ｄ）が０．５〜４ｍｍの略円形断面形状とされるか、又は、前記線材の幅をｗ、厚さをｔ、断面積をＳとすると、１＜（ｗ／ｔ）≦１０、かつ、０．２ｍｍ2≦Ｓ≦１２．６ｍｍ2とされる略長円形状或いは略長方形状の扁平断面形状であることを特徴とする請求項１に記載の繊維強化プラスチック構造物成型方法。
【請求項３】
前記一方向強化繊維シートは、少なくとも一側の面が線材固定材にて保持され、前記一方向強化繊維シートの前記線材固定材側の面が、前記ストランドシートの一側の面と対向するようにして一体化されることを特徴とする請求項１又は２に記載の繊維強化プラスチック構造物成型方法。
【請求項４】
前記注入樹脂は、樹脂注入時の粘度が３０〜３００ｍＰａ・ｓであることを特徴とする請求項１〜３のいずれかの項に記載の繊維強化プラスチック構造物成型方法。
【請求項５】
前記注入樹脂は、エポキシ樹脂、ポリエステル樹脂、ビニールエステル樹脂、ＭＭＡ樹脂、不飽和ポリエステル樹脂、又は、フェノール樹脂であることを特徴とする請求項４に記載の繊維強化プラスチック構造物成型方法。
【請求項６】
強化繊維シートを所定形状にて配置し、上型枠或いはフィルムで密閉し、真空にして前記強化繊維シートに樹脂を注入して硬化させ、繊維強化プラスチック構造物を成型するＶａＲＴＭ工法に使用する前記強化繊維シートであって、
（ａ）連続した複数本の強化繊維にマトリクス樹脂が含浸され硬化された略円形断面形状或いは扁平断面形状とされる連続した繊維強化プラスチック線材を複数本、前記各線材間には０〜１０ｍｍの空隙（ｇ）を設けて長手方向にスダレ状に引き揃えて形成されたストランドシートと、
（ｂ）連続した強化繊維を複数本、一方向に引き揃えてシート状に形成された樹脂未含浸の一方向強化繊維シートと、
を一体化し、前記ストランドシートの前記繊維強化プラスチック線材の前記空隙（ｇ）部に前記一方向強化繊維シートの少なくとも一部の強化繊維が入り込んでいることを特徴とするＶａＲＴＭ用強化繊維シート。
【請求項７】
前記繊維強化プラスチック線材は、直径（ｄ）が０．５〜４ｍｍの略円形断面形状とされるか、又は、前記線材の幅をｗ、厚さをｔ、断面積をＳとすると、１＜（ｗ／ｔ）≦１０、かつ、０．２ｍｍ2≦Ｓ≦１２．６ｍｍ2とされる略長円形状或いは略長方形状の扁平断面形状であることを特徴とする請求項６に記載のＶａＲＴＭ用強化繊維シート。
【請求項８】
前記一方向強化繊維シートは、少なくとも一側の面が線材固定材にて保持され、前記一方向強化繊維シートの前記線材固定材側の面が、前記ストランドシートの一側の面と対向するようにして一体化されることを特徴とする請求項６又は７に記載のＶａＲＴＭ用強化繊維シート。
【請求項９】
前記ストランドシートと前記一方向強化繊維シートとの積層体は、少なくとも一側の面が線材固定材にて保持されて一体とされることを特徴とする請求項６又は７に記載のＶａＲＴＭ用強化繊維シート。
【請求項１０】
前記線材固定材は、２軸或いは３軸に配向して形成され、表面に樹脂が被覆された糸条にて作製されたメッシュ状支持体であるか、又は、前記ストランドシートの線材及び／又は前記一方向強化繊維シートの強化繊維に直交して編み込むか、織り込むか、或いは、表面に接着又は融着される横糸であることを特徴とする請求項８又は９に記載のＶａＲＴＭ用強化繊維シート。
【請求項１１】
請求項１〜５のいずれかの項に記載の繊維強化プラスチック構造物成型方法にて成型されたことを特徴とする繊維強化プラスチック構造物。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
インクをノズルから吐出する印刷ヘッドを、主走査方向および該主走査方向と交わる副走査方向へ印刷媒体に対して相対的に移動することにより前記印刷媒体に印刷を行なう印刷制御装置において、
画像を表す色画像層を形成するための第１画像データを設定する第１画像データ設定部と、
前記色画像層に重ねられる背景画像層を形成しかつ前記第１画像データのデータ形式と異なったデータ形式を有する第２画像データを設定する第２画像データ設定部と、
前記第１および第２画像データ設定部からの前記第１および第２画像データを受けて、前記印刷ヘッドのノズルから吐出するインク量を示すインクレベルデータを作成する制御部と、
を備え、
前記制御部は、
前記第１画像データ設定部からの第１画像データを色変換することでインク量を示す第１インクレベルデータを作成し、
前記第２画像データ設定部からの第２画像データを色変換することでインク量を示す第２インクレベルデータを作成し、
前記印刷ヘッドのノズルのうち上流側で最初に印刷される第１ノズル群および前記第１ノズル群に続きかつ下流側で印刷される第２ノズル群の少なくとも一方を、前記第１および第２インクレベルデータの両方のデータに基づいて制御するとともに、前記第１および第２ノズル群からインクを吐出するように制御する、
印刷制御装置。
【請求項２】
請求項１に記載の印刷制御装置において、
前記第１画像データ設定部により設定される第１画像データは、ＲＧＢデータであり、第２画像データ設定部により設定される第２画像データは、ＣＭＹＫデータである、印刷制御装置。
【請求項３】
請求項１または２に記載の印刷制御装置において、
前記制御部は、前記印刷媒体の同じ領域に、前記第１ノズル群および第２ノズル群から同色のインクをそれぞれ吐出するときに、それらのインク量を予め定めた相関関係をもって制御する、印刷制御装置。
【請求項４】
請求項３に記載の印刷制御装置において、
前記制御部は、前記相関関係につき、前記第１または第２ノズル群の一方のインク量を少なくするように制御する、印刷制御装置。
【請求項５】
請求項１から４のいずれか一項に記載の印刷制御装置において、
前記印刷ヘッドは、前記色画像層を形成することが可能な色インクを吐出するノズルを副走査方向に配列した複数の色ノズル列と、前記背景画像層を形成することが可能な特殊インクを吐出するノズルを前記色ノズル列と平行に配置した特殊インク列とを備えている、印刷制御装置。
【請求項６】
請求項５に記載の印刷制御装置において、
前記特殊インクは、白インクである、印刷制御装置。
【請求項７】
請求項５に記載の印刷制御装置において、
前記特殊インクは、メタリックインクである、印刷制御装置。
【請求項８】
請求項５に記載の印刷制御装置において、
前記制御部は、前記特殊インクに、メタリックインクを用い、前記メタリックインクで形成された背景画像層上の白インクのインク量を、前記メタリックインクがない領域より白インクのインク量を減らすように制御する、印刷制御装置。
【請求項９】
画像を表す色画像層を形成するための第１画像データと、前記色画像層に重ねられる背景画像層を形成しかつ前記第１画像データのデータ形式と異なったデータ形式を有する第２画像データとを用いて、印刷ヘッドのノズルから吐出するインク量を示すインクレベルデータを作成する印刷画像制御方法であって、
前記第１画像データを色変換することでインク量を示す第１インクレベルデータを作成する処理と、
前記第２画像データを色変換することでインク量を示す第２インクレベルデータを作成する処理と、
前記印刷ヘッドのノズルのうち上流側で最初に印刷される第１ノズル群および前記第１ノズル群に続く下流側で印刷される第２ノズル群の少なくとも一方に、前記第１および第２インクレベルデータの両方のデータに基づいて前記第１および第２ノズル群からインクを吐出するように制御する処理と、
を備える印刷画像制御方法。
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
種々の図柄を変動表示する表示装置を備えた遊技機であって、
遊技者が操作することで遊技に関する演出を選択可能な操作手段を備え、
該遊技機を通常客待ち状態とする通常モードと、該遊技機を低消費電力の節電客待ち状態とする節電モードとを選択可能であり、
遊技停止から所定時間が経過した際に、該通常客待ち状態又は該節電客待ち状態となるように構成され、
前記所定時間の経過前に前記操作手段が操作された場合には、遊技に関連する表示を行う遊技関連表示処理が行われ、該所定時間が経過しても特定の期間は、前記節電客待ち状態としないことを特徴とする遊技機。
【請求項２】
請求項１に記載の遊技機において、
前記所定時間を計時するタイマを備え、
前記所定時間の経過前に前記操作手段の操作がされた場合には、前記タイマを停止することにより、該所定時間が経過しても特定の期間は、前記節電客待ち状態としないことを特徴とする遊技機。
【請求項３】
請求項１又は２に記載の遊技機において、
前記遊技停止の後かつ前記所定時間の経過前に前記種々の図柄の変動表示が開始された場合には、該所定時間の計時が中止されることを特徴とする遊技機。
【手続補正２】
【補正対象書類名】明細書
【補正対象項目名】０００７
【補正方法】変更
【補正の内容】
【０００７】
第１発明の遊技機は、種々の図柄を変動表示する表示装置を備えた遊技機であって、遊技者が操作することで遊技に関する演出を選択可能な操作手段を備え、該遊技機を通常客待ち状態とする通常モードと、該遊技機を低消費電力の節電客待ち状態とする節電モードとを選択可能であり、遊技停止から所定時間が経過した際に、該通常客待ち状態又は該節電客待ち状態となるように構成され、前記所定時間の経過前に前記操作手段が操作された場合には、遊技に関連する表示を行う遊技関連表示処理が行われ、該所定時間が経過しても特定の期間は、前記節電客待ち状態としないことを特徴とする。
【手続補正３】
【補正対象書類名】明細書
【補正対象項目名】０００８
【補正方法】変更
【補正の内容】
【０００８】
第２発明は、第１発明の遊技機において、前記所定時間を計時するタイマを備え、前記所定時間の経過前に前記操作手段の操作がされた場合には、前記タイマを停止することにより、該所定時間が経過しても特定の期間は、前記節電客待ち状態としないことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
第３発明は、第１又は第２発明の遊技機において、前記遊技停止の後かつ前記所定時間の経過前に前記種々の図柄の変動表示が開始された場合には、該所定時間の計時が中止されることを特徴とする。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
ユーザーが運動する運動経路の環境情報を利用して前記運動経路の環境変化を予測する環境予測部と、
前記ユーザーの生体情報と前記環境予測部の予測結果とを利用して、前記ユーザーの生体情報の変化を予測し、前記ユーザーの運動のペースを示す情報である運動支援情報を生成する運動支援情報生成部と、
を含む、情報処理装置。
【請求項２】
請求項１において、
前記ユーザーが過去に同じ運動経路で運動したときの前記ユーザーの生体情報、前記環境予測部の予測結果、および前記運動支援情報の少なくとも何れか１つを含む実績データを記憶する記憶部を含み、
前記運動支援情報生成部は、
前記記憶部からの実績データを利用して、運動支援情報を生成する、情報処理装置。
【請求項３】
請求項２において、
前記記憶部は、
前記ユーザーが過去に同じ運動経路で運動したときの記録も前記実績データとして記憶している、情報処理装置。
【請求項４】
請求項１乃至３のいずれか１項において、
前記ユーザーの生体情報を利用して、前記ユーザーの疲労度を計算する疲労度計算部を含み、
前記運動支援情報生成部は、
前記疲労度の変化を予測して前記運動支援情報を生成する、情報処理装置。
【請求項５】
請求項４において、
前記運動支援情報生成部は、
前記ユーザーに運動のペースの維持又は変更を指示する運動支援情報を生成する、情報
処理装置。
【請求項６】
請求項１乃至５のいずれか１項に記載の情報処理装置と、
前記運動経路を含む領域に配置されている環境計測装置と、
を含む、運動支援情報提供システム。
【請求項７】
ユーザーが運動する運動経路の環境情報を利用して前記運動経路の環境変化を予測するステップと、
前記ユーザーの生体情報を取得するステップと、
予測された前記運動経路の環境変化と取得された前記ユーザーの生体情報とを利用して、前記ユーザーの生体情報の変化を予測し、前記ユーザーの運動のペースを示す情報である運動支援情報を生成するステップと、
を含む、運動支援情報提供方法。
【請求項８】
請求項７において、
前記ユーザーが過去に同じ運動経路で運動したときの前記ユーザーの生体情報、前記環境予測部の予測結果、および前記運動支援情報の少なくとも何れか１つを含む実績データを記憶するステップを含み、
前記運動支援情報を生成するステップは、
前記実績データを利用して、運動支援情報を生成する、運動支援情報提供方法。
【請求項９】
請求項８において、
前記記憶するステップは、
前記ユーザーが過去に同じ運動経路で運動したときの記録も前記実績データとして記憶している、運動支援情報提供方法。
【請求項１０】
請求項７乃至９のいずれか１項において、
前記ユーザーの生体情報を利用して、前記ユーザーの疲労度を計算するステップを含み、
前記運動支援情報を生成するステップは、
前記疲労度の変化を予測して前記運動支援情報を生成する、運動支援情報提供方法。
【請求項１１】
請求項１０において、
前記運動支援情報を生成するステップは、
前記ユーザーに運動のペースの維持又は変更を指示する運動支援情報を生成する、運動支援情報提供方法。
【請求項１２】
ユーザーが運動する運動経路の環境情報を利用して前記運動経路の環境変化を予測するステップと、
前記ユーザーの生体情報を取得するステップと、
予測された前記運動経路の環境変化と取得された前記ユーザーの生体情報とを利用して、前記ユーザーの生体情報の変化を予測し、前記ユーザーの適した運動のペースを示す情報である運動支援情報を生成するステップと、
をコンピューターに実行させる、運動支援情報提供プログラム。
【請求項１３】
請求項１２において、
前記ユーザーが過去に同じ運動経路で運動したときの前記ユーザーの生体情報、前記環境予測部の予測結果、および前記運動支援情報の少なくとも何れか１つを含む実績データを記憶するステップを含み、
前記運動支援情報を生成するステップは、
前記実績データを利用して、運動支援情報を生成する、運動支援情報提供プログラム。
【請求項１４】
請求項１３において、
前記記憶するステップは、
前記ユーザーが過去に同じ運動経路で運動したときの記録も前記実績データとして記憶している、運動支援情報提供プログラム。
【請求項１５】
請求項１２乃至１４のいずれか１項において、
前記ユーザーの生体情報を利用して、前記ユーザーの疲労度を計算するステップを含み、
前記運動支援情報を生成するステップは、
前記疲労度の変化を予測して前記運動支援情報を生成する、運動支援情報提供プログラム。
【請求項１６】
請求項１５において、
前記運動支援情報を生成するステップは、
前記ユーザーに運動のペースの維持又は変更を指示する運動支援情報を生成する、運動支援情報提供プログラム。
【手続補正２】
【補正対象書類名】明細書
【補正対象項目名】発明の名称
【補正方法】変更
【補正の内容】
【発明の名称】情報処理装置、運動支援情報提供システム、運動支援情報提供方法及び運動支援情報提供プログラム
【手続補正書】
【提出日】平成27年3月24日(2015.3.24)
【手続補正１】
【補正対象書類名】特許請求の範囲
【補正対象項目名】請求項１
【補正方法】変更
【補正の内容】
【請求項１】
薬液を収容した薬剤容器に貼着され、前記薬液を特定可能な薬剤情報が記憶されたＩＣタグと、
患者に関連付けられ、前記患者に対する薬剤の処方に関する薬剤処方情報を取得する薬剤処方情報取得部と、
前記薬液を他の薬液を収容した薬剤容器に注入して混合する混注を行う場合、前記混注の前提となる条件である混注条件を含む混注条件情報を取得する混注条件情報取得部と、
取得した前記薬剤処方情報および前記混注条件情報を前記ＩＣタグに書き込むＩＣタグ書込み部と、
を含むことを特徴とする薬剤管理システム。
【手続補正２】
【補正対象書類名】明細書
【補正対象項目名】０００９
【補正方法】変更
【補正の内容】
【０００９】
上記の課題を解決するために、本発明の薬剤管理システムは、薬液を収容した薬剤容器に貼着され、薬液を特定可能な薬剤情報が記憶されたＩＣタグと、患者に関連付けられ、患者に対する薬剤の処方に関する薬剤処方情報を取得する薬剤処方情報取得部と、薬液を他の薬液を収容した薬剤容器に注入して混合する混注を行う場合、混注の前提となる条件である混注条件を含む混注条件情報を取得する混注条件情報取得部と、取得した薬剤処方情報および混注条件情報をＩＣタグに書き込むＩＣタグ書込み部と、を含むことを特徴とする。
【手続補正３】
【補正対象書類名】明細書
【補正対象項目名】００２１
【補正方法】変更
【補正の内容】
【００２１】
ホストコンピュータ２０と端末１０とは、設置位置に制約はない。例えば、コンピュータルームのような施設にホストコンピュータ２０が設置され、薬液を混注する施設、および混注された薬液を使用する施設（病室等）に端末１０が設置される。また、端末１０のＨＤＤ１０ｃにＤＢ２１と同等のデータベースを構築してもよい。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
ユーザーが移動する経路の環境情報を利用して前記経路の環境変化を予測する環境予測部と、
前記環境予測部の予測結果と前記ユーザーの生体情報とを利用して、前記移動に関する助言を含む移動支援情報を生成する移動支援情報生成部と、
を含む、情報処理装置。
【請求項２】
請求項１において、
前記ユーザーの生体情報を利用して、前記ユーザーの体力を計算する体力計算部を含み、
前記移動支援情報生成部は、
前記環境予測部の予測結果と前記体力計算部で計算される体力とを利用して、前記移動支援情報を生成する、情報処理装置。
【請求項３】
請求項２において、
前記移動支援情報生成部は、
前記体力計算部で計算される体力が所定の値を下回る場合に前記助言を行う、情報処理装置。
【請求項４】
請求項２又は３において、
前記移動支援情報生成部は、
前記環境予測部の予測結果と前記体力計算部で計算される体力とを利用して、前記ユーザーが移動可能な距離である移動可能距離、および前記ユーザーが移動可能な時間である移動可能時間の少なくとも一方を計算し、
前記移動可能距離および前記移動可能時間の少なくとも一方を利用して前記助言を行う、情報処理装置。
【請求項５】
請求項２乃至４のいずれか１項において、
前記ユーザーの活動データを取得する活動データ取得部を含み、
前記体力計算部は、
前記活動データ取得部が取得した活動データを利用して、計算した体力の修正を行う、情報処理装置。
【請求項６】
請求項１乃至５のいずれか１項に記載の情報処理装置を備えている、電子機器。
【請求項７】
請求項１乃至５のいずれか１項に記載の情報処理装置と、
前記ユーザーが移動する経路を含む領域に配置されている環境計測装置と、
を含む、移動支援情報提供システム。
【請求項８】
ユーザーが移動する経路の環境情報を利用して前記経路の環境変化を予測する環境予測ステップと、
前記ユーザーの生体情報を取得する生体情報取得ステップと、
予測された前記経路の環境変化と取得された前記生体情報とを利用して、前記移動に関する助言を含む移動支援情報を生成する移動支援情報生成ステップと、
を含む、移動支援情報提供方法。
【請求項９】
請求項８において、
前記ユーザーの生体情報を利用して、前記ユーザーの体力を計算する体力計算ステップを含み、
前記移動支援情報生成ステップは、
前記環境予測ステップの予測結果と前記体力計算ステップで計算される体力とを利用して、前記移動支援情報を生成する、移動支援情報提供方法。
【請求項１０】
請求項９において、
前記移動支援情報生成ステップは、
前記体力計算ステップで計算される体力が所定の値を下回る場合に前記助言を行う、移動支援情報提供方法。
【請求項１１】
請求項９又は１０において、
前記移動支援情報生成ステップは、
前記環境予測ステップの予測結果と前記体力計算ステップで計算される体力とを利用して、前記ユーザーが移動可能な距離である移動可能距離、および前記ユーザーが移動可能な時間である移動可能時間の少なくとも一方を計算し、
前記移動可能距離および前記移動可能時間の少なくとも一方を利用して前記助言を行う、移動支援情報提供方法。
【請求項１２】
請求項９乃至１１のいずれか１項において、
前記ユーザーの活動データを取得する活動データ取得ステップを含み、
前記体力計算ステップは、
前記活動データ取得ステップが取得した活動データを利用して、計算した体力の修正を行う、移動支援情報提供方法。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
照射手段により照射された放射線を受光し、受光した放射線に対応する電気信号を出力する受光手段の位置を検出する検出手段と、
前記照射手段の放射線照射方向と略同方向を撮像する撮像手段と、
前記照射手段の照射角度に応じた放射線照射範囲に係る画像データを生成する生成手段と、
前記検出手段により検出された前記受光手段の位置に基づいて、前記受光手段に係る画像データと、前記照射手段による放射線照射範囲に係る画像データと、前記撮像手段により撮像された画像データとを重畳して表示手段に表示させる表示制御手段と
を有することを特徴とする放射線撮影装置。
【請求項２】
前記照射手段の位置の変更を検知する位置検知手段を更に有し、
前記検出手段は、前記位置検知手段により前記照射手段の位置の変更が検知された場合に、前記受光手段の位置を再び検出することを特徴とする請求項１に記載の放射線撮影装置。
【請求項３】
前記照射手段のコリメータの絞り値を検知する絞り値検知手段を更に有し、
前記表示制御手段は、前記絞り値検知手段により検知される前記コリメータの絞り値に応じて、前記照射手段の放射線照射範囲に係る画像データを変更することを特徴とする請求項１に記載の放射線撮影装置。
【請求項４】
前記表示手段は、前記照射手段に設けられていることを特徴とする請求項１乃至３の何れか１項に記載の放射線撮影装置。
【請求項５】
前記照射手段は、複数の焦点を有するマルチ電子源を使用して放射線を照射することを特徴とする請求項１乃至４の何れか１項に記載の放射線撮影装置。
【請求項６】
照射手段により照射された放射線を受光し、受光した放射線に対応する電気信号を出力する受光手段の位置を検出する検出手段と、
前記検出手段により検出された前記受光手段の位置に基づいて、前記受光手段に係る画像データと、前記照射手段による放射線照射範囲に係る画像データとを重畳して表示手段に表示させる表示制御手段と、
前記照射手段の位置の変更を検知する位置検知手段と
を有し、
前記検出手段は、前記位置検知手段により前記照射手段の位置の変更が検知された場合に、撮像手段による撮像範囲内における前記受光手段の位置を再び検出することを特徴とする放射線撮影装置。
【請求項７】
照射手段により照射された放射線を受光し、受光した放射線に対応する電気信号を出力する受光手段の位置を検出する検出手段と、
前記検出手段により検出された前記受光手段の位置に基づいて、前記受光手段に係る画像データと、前記照射手段による放射線照射範囲に係る画像データとを重畳して表示手段に表示させる表示制御手段と、
前記照射手段のコリメータの絞り値を検知する絞り値検知手段と
を有し、
前記表示制御手段は、前記絞り値検知手段により検知される前記コリメータの絞り値に応じて、前記照射手段の放射線照射範囲に係る画像データを変更することを特徴とする放射線撮影装置。
【請求項８】
放射線撮影装置が実行する制御方法であって、
照射手段により照射された放射線を受光し、受光した放射線に対応する電気信号を出力する受光手段の位置を検出する検出ステップと、
前記照射手段の放射線照射方向と略同方向を撮像する撮像ステップと、
前記照射手段の照射角度に応じた放射線照射範囲に係る画像データを生成する生成ステップと、
前記検出ステップにおいて検出された前記受光手段の位置に基づいて、前記受光手段に係る画像データと、前記照射手段による放射線照射範囲に係る画像データと、前記撮像ステップにおいて撮像された画像データとを重畳して表示手段に表示させる表示制御ステップと
を含むことを特徴とする放射線撮影装置の制御方法。
【請求項９】
放射線撮影装置が実行する制御方法であって、
照射手段により照射された放射線を受光し、受光した放射線に対応する電気信号を出力する受光手段の位置を検出する検出ステップと、
前記検出ステップにおいて検出された前記受光手段の位置に基づいて、前記受光手段に係る画像データと、前記照射手段による放射線照射範囲に係る画像データとを重畳して表示手段に表示させる表示制御ステップと、
前記照射手段の位置の変更を検知する位置検知ステップと
を含み、
前記検出ステップでは、前記位置検知ステップにおいて前記照射手段の位置の変更が検知された場合に、前記受光手段の位置を再び検出することを特徴とする放射線撮影装置の制御方法。
【請求項１０】
放射線撮影装置が実行する制御方法であって、
照射手段により照射された放射線を受光し、受光した放射線に対応する電気信号を出力する受光手段の位置を検出する検出ステップと、
前記検出ステップにおいて検出された前記受光手段の位置に基づいて、前記受光手段に係る画像データと、前記照射手段による放射線照射範囲に係る画像データとを重畳して表示手段に表示させる表示制御ステップと、
前記照射手段のコリメータの絞り値を検知する絞り値検知ステップと
を含み、
前記表示制御ステップでは、前記絞り値検知ステップにおいて検知される前記コリメータの絞り値に応じて、前記照射手段の放射線照射範囲に係る画像データを変更することを特徴とする放射線撮影装置の制御方法。
【請求項１１】
コンピュータに、
請求項８乃至１０の何れか１項に記載の制御方法の各ステップを実行させるためのプログラム。
【請求項１２】
請求項１１に記載のプログラムを記録したコンピュータにより読み取り可能な記録媒体。
【手続補正２】
【補正対象書類名】明細書
【補正対象項目名】０００８
【補正方法】変更
【補正の内容】
【０００８】
本発明の放射線撮影装置は、照射手段により照射された放射線を受光し、受光した放射線に対応する電気信号を出力する受光手段の位置を検出する検出手段と、前記照射手段の放射線照射方向と略同方向を撮像する撮像手段と、前記照射手段の照射角度に応じた放射線照射範囲に係る画像データを生成する生成手段と、前記検出手段により検出された前記受光手段の位置に基づいて、前記受光手段に係る画像データと、前記照射手段による放射線照射範囲に係る画像データと、前記撮像手段により撮像された画像データとを重畳して表示手段に表示させる表示制御手段とを有することを特徴とする。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
対象動脈が走行している被検者の第１部位において当該対象動脈の血管径又は血管断面積（以下包括して「血管断面指標値」と称す。）を計測する血管断面指標値計測と、前記第１部位とは異なる第２部位において前記被検者の血圧を計測する血圧計測とを、前記第２部位が前記対象動脈が走行している部位であるか否かに応じて同時或いは時分割に行うことと、
前記血管断面指標値計測による計測結果と前記血圧計測による計測結果とを用いて、血管断面指標値から血圧を推定する血圧推定処理に係るパラメーターを校正することと、
を含む血圧推定パラメーター校正方法。
【請求項２】
前記対象動脈は橈骨動脈であり、
前記第１部位は手首部であり、
前記第２部位は上腕部であり、
前記第１部位と前記第２部位とが同じ腕であるか否かに応じて前記血管断面指標値計測と前記血圧計測とを同時或いは時分割に行うことを特徴とする、
請求項１に記載の血圧推定パラメーター校正方法。
【請求項３】
前記血管断面指標値計測では、所定時間の間、前記対象動脈の血管断面指標値を計測し、
前記血圧計測では、収縮期血圧及び拡張期血圧を計測し、
前記パラメーターを校正することは、
前記所定時間の間の前記血管断面指標値計測の計測結果から、収縮期血管断面指標値及び拡張期血管断面指標値を求めることと、
前記収縮期血圧及び前記拡張期血圧と前記収縮期血管断面指標値及び前記拡張期血管断面指標値とに基づいて前記パラメーターを校正することと、
を含む、
請求項１又は２に記載の血圧推定パラメーター校正方法。
【請求項４】
請求項１〜３の何れか一項に記載の血圧推定パラメーター校正方法を行った後に、前記第１部位において前記対象動脈の血管断面指標値を計測する通常計測を行うことと、
前記血圧推定パラメーター校正方法により校正されたパラメーターを用いて、前記通常計測の計測結果から前記血圧推定処理を行って血圧を推定することと、
を含む血圧計測方法。
【請求項５】
血管径又は血管断面積を計測する血管断面指標値計測部と、血圧計測装置の計測時刻と、を制御する制御部と、
第１部位に設けられた前記血管断面指標値計測部へ前記制御部からの計測指示を伝える第１伝達部と、
前記第１部位とは異なる第２部位に設けられた前記血圧計測装置へ前記制御部からの計測指示を伝える第２伝達部と、
前記血管断面指標値計測部による計測結果と前記血圧計測装置による計測結果とを用いて、血管断面指標値から血圧を推定する血圧推定処理に係るパラメーターを校正する校正部と、を備え、
前記制御部が、前記第１伝達部に計測指示を出す時刻と前記第２伝達部に計測指示を出す時刻が異なる
ことを特徴とする血圧計測装置
【請求項６】
前記血圧計測装置が、前記血管断面指標値計測部が計測する血管の位置より心臓に近い位置に設けられ、前記校正部による校正時に用いられる加圧血圧計である
ことを特徴とする請求項５に記載の血圧計測装置
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
第１動脈の拡張期血管径又は拡張期血管断面積（以下、「血管径」又は「血管断面積」のことを包括して「血管断面指標値」と称す。）を計測する血管断面指標値計測を複数回行うことと、
第２動脈の拡張期血圧を計測する血圧計測を複数回行うことと、
前記血圧計測及び前記血管断面指標値計測の計測結果を用いて、前記第１動脈の血管断面指標値から血圧を推定する血圧推定処理に係るパラメーターを校正することと、
を含む血圧推定パラメーター校正方法。
【請求項２】
前記複数回の血圧計測及び血管断面指標値計測には、時期を変えて両計測を同時に行うことが含まれ、
前記パラメーターを校正することは、同時に行われた前記血圧計測及び前記血管断面指標値計測の計測結果の組み合わせを複数用いて、前記パラメーターを校正することを含む、
請求項１に記載の血圧推定パラメーター校正方法。
【請求項３】
前記複数回の血圧計測及び血管断面指標値計測には、
前記血管断面指標値計測を継続的に実行することと、
前記血管断面指標値計測の継続実行中の第１時期及び第２時期に前記血圧計測を行うことと、
が含まれる、
請求項２に記載の血圧推定パラメーター校正方法。
【請求項４】
前記第１時期及び前記第２時期は、それぞれの時期において前記血管断面指標値計測により計測された拡張期血管断面指標値が所定の差違条件を満たす時期である、
請求項３に記載の血圧推定パラメーター校正方法。
【請求項５】
前記血圧計測によって計測された拡張期血圧を、計測時の前記血圧計測の計測位置と前記血管断面指標値計測の計測位置との高低差に基づいて補正すること、
を更に含む請求項１〜４の何れか一項に記載の血圧推定パラメーター校正方法。
【請求項６】
請求項１〜５の何れか一項に記載の血圧推定パラメーター校正方法を実行して前記パラメーターを校正することと、
第１動脈の血管断面指標値を計測することと、
前記計測された血管断面指標値に基づき、前記校正されたパラメーターを用いた血圧推定処理を実行することと、
を含む血圧計測方法。
【請求項７】
第１動脈の拡張期における血管径又は血管断面積を計測する血管断面指標値計測部と、
前記血管断面指標値計測部により計測された血管断面指標値から血圧を推定する血圧推定処理を行う血圧計測部と、
第２動脈の拡張期血圧を入力する入力部と、
前記血管断面指標値計測部により計測された複数の拡張期血管断面指標値と前記入力部により入力された複数の拡張期血圧とを用いて、前記血圧推定処理に係るパラメーターを校正する校正部と、
を備えた血圧計測装置。
【手続補正２】
【補正対象書類名】明細書
【補正対象項目名】発明の名称
【補正方法】変更
【補正の内容】
【発明の名称】血圧推定パラメーター校正方法、血圧計測方法及び血圧計測装置
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
第１の動脈の血管径又は血管断面積（以下、「血管径」又は「血管断面積」のことを包括して「血管断面指標値」と称す。）を計測する血管断面指標値計測を、第２の動脈の血圧計測と組み合わせた他動脈血圧組合せ計測を行うことと、
前記他動脈血圧組合せ計測の計測結果を用いて、前記第１の動脈の血管断面指標値から前記第１の動脈の血圧を推定する血圧推定処理に係るパラメーターを校正することと、
を含む血圧推定パラメーター校正方法。
【請求項２】
前記パラメーターには、拡張期血管断面指標値と前記第１の動脈の拡張期血圧との関係に係る相関パラメーターが含まれ、
前記校正することは、前記他動脈血圧組合せ計測の計測結果を用いて前記相関パラメーターを校正することを含む、
請求項１に記載の血圧推定パラメーター校正方法。
【請求項３】
前記パラメーターには、前記第１の動脈の血管硬度を表す血管硬度パラメーターが含まれ、
前記血管断面指標値計測を、前記第１の動脈の血圧計測と組み合わせた同動脈血圧組合せ計測を行うこと、
を更に含み、
前記校正することは、前記同動脈血圧組合せ計測の計測結果を用いて前記血管硬度パラメーターを校正することを含む、
請求項１又は２に記載の血圧推定パラメーター校正方法。
【請求項４】
前記パラメーターには、前記第１の動脈の血管硬度を表す血管硬度パラメーターが含まれ、
前記校正することは、前記血管硬度パラメーターについては所与の値を設定することを含む、
請求項１又は２に記載の血圧推定パラメーター校正方法。
【請求項５】
前記第１の動脈は中枢動脈であり、
前記第２の動脈は末梢動脈であり、
前記血圧推定処理は中枢動脈の起始部血圧を推定する処理である、
請求項１〜４の何れか一項に記載の血圧推定パラメーター校正方法。
【請求項６】
第１の動脈の血管径又は血管断面積を計測する血管断面指標値計測部と、
前記血管断面指標値計測部により計測された血管断面指標値から前記第１の動脈の血圧を推定する血圧推定処理を行う血圧計測部と、
第１の動脈の血圧又は第２の動脈の血圧を入力する入力部と、
前記血管断面指標値計測部により計測された前記第１の動脈の血管断面指標値と前記入力部により入力された前記第２の動脈の前記血圧とを用いて、前記血圧推定処理に係るパラメーターを校正する校正部と、
を備えた血圧計測装置。
【請求項７】
前記校正部が、
拡張期および収縮期において、前記第１の動脈の前記血管断面指標値および前記第１の動脈の前記血圧から前記パラメータを校正し、
拡張期および収縮期において、前記第１の動脈の前記血管断面指標値および前記第２の動脈の前記血圧から前記パラメータの一部を校正する
ことを特徴とする請求項６に記載の血圧計測装置。
【手続補正２】
【補正対象書類名】明細書
【補正対象項目名】００６１
【補正方法】変更
【補正の内容】
【００６１】
図５は、血管硬度パラメーター校正処理の流れを示すフローチャートである。
先ず、血管径計測部１２０による頸動脈の血管径計測（収縮期血管径及び拡張期血管径の計測）を開始する（ステップＢ１）。そして、処理部１００は、中心血圧計２から血圧の計測値を入力するまで待機する（ステップＢ３）。血管径計測部１２０は、中心血圧計２による血圧計測が終了するまでの間、血管径を連続的に計測し、校正用データ８２０として記憶部８００に記憶させる。
【手続補正３】
【補正対象書類名】明細書
【補正対象項目名】００６８
【補正方法】変更
【補正の内容】
【００６８】
図６は、相関パラメーター校正処理の流れを示すフローチャートである。
先ず、血管径計測部１２０による頸動脈の血管径計測の計測を開始する（ステップＣ１）。ステップＣ１の血管径計測では、少なくとも頸動脈の拡張期血管径を計測すればよい。そして、処理部１００は、加圧血圧計３から血圧の計測値を入力するまで待機する（ステップＣ３）。血管径計測部１２０は、加圧血圧計３による血圧計測が終了するまでの間、血管径を連続的に計測し、校正用データ８２０として記憶部８００に記憶させる。
【手続補正書】
【提出日】平成27年4月8日(2015.4.8)
【手続補正１】
【補正対象書類名】明細書
【補正対象項目名】００５１
【補正方法】変更
【補正の内容】
【００５１】
上記ＣＰＵ１００は、メモリ５１に記憶された血圧計１を制御するためのプログラムに従って、操作部５２からの操作信号に応じて、ポンプ３２や弁３３、脈波センサ４１を駆動する制御を行う。また、ＣＰＵ１００は、圧力センサ３１および脈波センサ４１からの信号に基づいて、血圧値や脈拍数を算出し、表示器５０およびメモリ５１を制御する。
【手続補正２】
【補正対象書類名】明細書
【補正対象項目名】００７３
【補正方法】変更
【補正の内容】
【００７３】
次に、図２に示すように、ＣＰＵ１００は、脈拍数算出動作時間を測るタイマーカウントを増加させる制御を行う（ステップＳＴ７）。ＣＰＵ１００は、脈波が検出されて、脈拍があると判断すると（ステップＳＴ８でＹＥＳ）、タイマーカウントをリセットする制御を行う（ステップＳＴ９）。
【手続補正書】
【提出日】平成27年3月12日(2015.3.12)
【手続補正１】
【補正対象書類名】明細書
【補正対象項目名】００５０
【補正方法】変更
【補正の内容】
【００５０】
前記一次焼成は、１１５０℃〜１３００℃の温度範囲で行われることが好ましい。前記二次焼成は、３００℃〜７００℃または７００℃〜９００℃の温度範囲において１時間〜２４時間にわたって行われることが好ましい。焼成物は、２〜５０ナノメーターの範囲のメソ細孔及び２ナノメーター以下のマイクロ細孔を有することが好ましい。
【手続補正２】
【補正対象書類名】明細書
【補正対象項目名】０１２０
【補正方法】変更
【補正の内容】
【０１２０】
なお、Ｈ＋は実際にはＯＨ３＋：ヒドロニウムイオンとされる。従って、中性の水に１×１０−７ｍｏｌ／Ｌ程存在した［ＯＨ３＋］が、当該セラミックスを浸漬して１２時間後には１×１０−１０ｍｏｌ／Ｌ以下にまで減少し、逆に［ＯＨ―］が１×１０−７ｍｏｌ／Ｌから１×１０−４ｍｏｌ／Ｌ以上にまで増加したことになる。ｐＨメーターは水素イオン濃度を水素イオンの濃淡電池の原理で直接測定しており、セラミックス浸漬水において水素イオン濃度が減少していることは明白である。
【手続補正３】
【補正対象書類名】特許請求の範囲
【補正対象項目名】全文
【補正方法】変更
【補正の内容】
【特許請求の範囲】
【請求項１】
炭及び酸化鉄を含むセラミック材料を一次焼成し、さらに過熱水蒸気で二次焼成してなる機能性セラミックス。
【請求項２】
前記セラミック材料は、岩石粉砕物、ケイ酸及びアルミナを含む窯業原料、ケイ素化合物、アルミニウム化合物、貝灰の少なくとも１つを含む請求項１記載の機能性セラミックス。
【請求項３】
前記炭は、木炭、竹炭、コーヒー炭、ヤシ殻炭、石炭コークス、石油コークスの少なくとも１つを含む請求項１記載の機能性セラミックス。
【請求項４】
前記セラミック材料は、ジルコニウム、銀、パラジウム、金、白金、マンガン、チタン、タングステン、イットリウム、セリウム、ネオジウムの少なくとも１つを含む請求項１記載の機能性セラミックス。
【請求項５】
２〜５０ナノメーターの範囲のメソ細孔及び２ナノメーター以下のマイクロ細孔を有する請求項１記載の機能性セラミックス。
【請求項６】
炭及び酸化鉄を含むセラミック材料を焼成する一次焼成工程と、
前記一次焼成工程で焼成したセラミック材料をさらに過熱水蒸気で焼成する二次焼成とを含む機能性セラミックスの製造方法。
【請求項７】
岩石粉砕物、ケイ酸及びアルミナを含む窯業原料、ケイ素化合物、アルミニウム化合物の少なくとも１つから前記セラミック材料を作成する工程を含む請求項６記載の機能性セラミックスの製造方法。
【請求項８】
前記一次焼成工程は、１１５０℃〜１３００℃の温度範囲で行われる請求項６記載の機能性セラミックスの製造方法。
【請求項９】
前記二次焼成工程は、３００℃〜７００℃または７００℃〜９００℃の温度範囲において１時間〜２４時間にわたって行われる請求項６記載の機能性セラミックスの製造方法。
【請求項１０】
前記一次焼成工程においては、前記セラミック材料の成型物を炭粒子で覆い焼成サヤ中に収納して焼成する請求項６記載の機能性セラミックスの製造方法。
【請求項１１】
請求項７〜１０のいずれか１項に記載の機能性セラミックスの製造方法に用いる過熱水蒸気を提供する過熱水蒸気発生炉であって、セラミックの粒子を内部に充填した管と、前記管を外部から加熱する加熱部とを有し、前記管内に飽和水蒸気を導入し、所定温度に維持された前記セラミックの粒子により加熱することにより過熱水蒸気を発生させる過熱水蒸気発生炉。
【請求項１２】
請求項７〜１０のいずれか１項に記載の機能性セラミックの製造方法に用いる過熱水蒸気焼成炉であって、焼成する試料の容器を内部に格納する筒部と、前記筒部の下部に設けられ、水蒸気を過熱して前記筒部に供給する蒸気加熱部と、前記筒部及び前記蒸気加熱部を外部から加熱する加熱部とを有し、前記蒸気加熱部は、外部から供給される過熱水蒸気を前記筒部に導く流路を形成し、セラミックの粒子を内部に充填し、所定温度に維持された前記セラミックの粒子により過熱水蒸気を加熱する過熱水蒸気焼成炉。